(57)【要約】【課題】キャスター付中重量物の底面等を損傷することがなく、また輸送時や保管時のスペースの増大や、森林伐採による地球の温暖化や環境破壊を招かないスロープ部材を提供する。【解決手段】スロープ部材４０は、梱包箱に被梱包物１０を収納する外箱２０と、該外箱２０と該被梱包物１０との間に形成される空間に収納する。または、該外箱２０の外面または緩衝材６０の外面に凹部を設け、該凹部にスロープ部材４０を収納する。さらに、スロープ部材４０の断面形状は略直角三角形で、略パレットの高さで、リサイクルが可能な紙器、段ボール、または樹脂発泡体の少なくとも何れかを用いる。【選択図】図４
2006069650.tif 000002
【特許請求の範囲】
【請求項１】
梱包箱に被梱包物を収納する外箱と、該外箱と該被梱包物との間に形成される空間に収納され、側断面が略直角三角形のスロープ部材からなることを特徴とする梱包箱。
【請求項２】
梱包箱に被梱包物を収納する外箱の外面に、側断面が略直角三角形のスロープ部材を収納する凹部を設け、該凹部に該スロープ部材を収納したことを特徴とする梱包箱。
【請求項３】
梱包箱に被梱包物を収納する外箱と、該外箱と該被梱包物との間に挿入され該被梱包物を緩衝するための緩衝材の外面に、側断面が略直角三角形のスロープ部材を収納する凹部を設け、該凹部に該スロープ部材を収納したことを特徴とする梱包箱。
【請求項４】
前記スロープ部材の頂角は、１０度から４５度であることを特徴とする請求項１〜請求項３に記載の梱包箱。
【請求項５】
前記スロープ部材の高さは、パレットの高さに略等しいことを特徴とする請求項１〜４に記載の梱包箱。
【請求項６】
前記スロープ部材は、前半部と後半部とに２分し、該前半部と該後半部を相互に蝶着し、長辺側に折りたためることを特徴とする請求項４〜請求項５に記載の梱包箱。
【請求項７】
前記スロープ部材は、右半部と左半部とに２分し、該右半部と該左半部を、所定幅の連結部材で連結したことを特徴とする請求項４〜請求項５に記載の梱包箱。
【請求項８】
前記スロープ部材は、リサイクルが可能な材料を用いたことを特徴とする請求項１〜請求項７に記載の梱包箱。
【請求項９】
前記スロープ部材は、紙器、段ボール、または樹脂発泡体の少なくとも何れかを用いたことを特徴とする請求項１〜請求項８に記載の梱包箱。
【発明の詳細な説明】
【技術分野】
【０００１】
本発明は、複写機等のＯＡ機器を始めとするキャスター付中重量物をパレットへの荷積みやパレットからの荷降ろし作業に用いるスロープ部材を組み込んだ梱包箱に関するものである。
【背景技術】
【０００２】
従来、図１に示したように、重量物６の底面には、移動のためのキャスターが取り付けられ、積載・荷降ろし時に、根止め材として台木４にボルト７で固定されていた三角ブロック５Ａ、５Ｂを取り外しスロープ材として用いることが提案されている（特許文献１）。別の従来例として、図２に示したように、木製の梱包箱４の側壁２１が、ヒンジ２２を介してスロープ材になることが提案されている（特許文献２）。また別の従来例として、図３に示したように、パレット１にスロープ部材６が収納され、パレットから荷物をおろす際は引き出して使うことが提案されている（特許文献３）。
【０００３】
【特許文献１】特開平８−２０７９３５公報
【特許文献２】実開平５−００３１２９公報
【特許文献３】特開２００２−２２５８７１公報
【発明の開示】
【発明が解決しようとする課題】
【０００４】
しかしながら、三角柱ブロックを根止め材として用いた場合や、パレットにスロープ部材を収納した場合、パレットの大きさには制約があるため、スロープ部材の長さが制約されるため、スロープの角度を小さくできないのでキャスター付中重量物の底面等を損傷させたりすることがあった。底面等を損傷させないためにはスロープの角度を小さくすることが必要で、その結果、スロープ部材の大型化を招き、コストアップや、輸送時や保管時のスペースの増大を招くという問題があった。また、木製の側壁をスロープ部材に用いる場合、段ボールや紙器に比べ重量が重くなり、輸送時は燃費の悪化を招き、また森林伐採による地球の温暖化や環境破壊を招くという問題があった。
【課題を解決するための手段】
【０００５】
請求項１では、梱包箱に被梱包物を収納する外箱と、該外箱と該被梱包物との間に形成される空間に収納され、側断面が略直角三角形のスロープ部材からなることを特徴とする。
また請求項２では、梱包箱に被梱包物を収納する外箱の外面に、側断面が略直角三角形のスロープ部材を収納する凹部を設け、該凹部に該スロープ部材を収納したことを特徴とする。
さらに請求項３では、梱包箱に被梱包物を収納する外箱と、該外箱と該被梱包物との間に挿入され該被梱包物を緩衝するための緩衝材の外面に、側断面が略直角三角形のスロープ部材を収納する凹部を設け、該凹部に該スロープ部材を収納したことを特徴とする。
またさらに請求項４では、前記スロープ部材の頂角が１０度から４５度が望ましく、請求項５では、前記スロープ部材の高さは、パレットの高さに略等しいことが望ましい。請求項６では、前記スロープ部材は、前半部と後半部とに２分し、相互に蝶着し、長辺側に折りたためることが望ましく、請求項７では、前記スロープ部材はリサイクルが可能な材料を用いることが望ましく、請求項８では、前記スロープ部材は、紙器、段ボール、または樹脂発泡体の少なくとも何れかを用いることが望ましい。
【発明の効果】
【０００６】
請求項１では、側断面が略直角三角形のスロープ部材４０は外箱２０と被梱包物１０との間に形成される空間に収納されるため、従来と同等の大きさの梱包体にすることができる。
また、請求項２では、該スロープ部材４０は、外箱外面に設けた凹部２２に収納されるため、従来と略同等の大きさの梱包箱にすることができる。
また、請求項３では、該スロープ部材４０は、緩衝材の外面に設けた凹部２３に収納されるため、従来と略同等の大きさの梱包箱にすることができる。さらに、請求項４では、スロープの角度を小さくできるため、キャスター付中重量物の底面を損傷することが無くパレットへの荷積みやパレットからの荷降ろしができる。
また、請求項５では、パレットの高さにスロープ部材の高さを合わせたため、キャスター付中重量物の底面を損傷することが無くパレットへの荷積みやパレットからの荷降ろしができる。
また、請求項６では、該スロープ部材を折りたためるため、該スロープ部材の頂角の角度を小さくしても収納ができるため、従来と略同等の梱包箱にすることができる。
また、請求項７では、該スロープ部材を左右に分割したため、重量の低減を図ることができ、輸送時の燃費向上が図れる。
また、請求項８、請求項９では、該スロープ部材に段ボールや発泡スチロール等のリサイクル可能な材料を用いるため、新たな木材を用いることがなく、森林破壊を招かず環境に優しい。
【実施例】
【０００７】
以下、図面を参照して本発明の実施例について説明する。図４〜図１６は本発明に係る梱包箱を示している。図４のように被梱包物１０は、複写機や複写機に付属するフィニシャーと呼ばれる後処理装置で重量のあるＯＡ機器である。該被梱包物１０の底面には、移動を容易にするためのキャスターと、据付・設置をするためのアジャスター（図示せず）が設けられている。該被梱包物１０を梱包するための梱包箱の構成は、パレット７０と該パレット７０の上に、四方に壁面を有する段ボール製のボトムシート３０があり、該ボトムシート３０の上に発泡スチロールや発泡ポリエチレン等の樹脂発泡体からなる緩衝材を置き、該緩衝材の上部に被梱包物１０を設置し、この被梱包物１０の上部に、前記樹脂発泡体からなる緩衝材６０を置き、段ボール製の外箱２０を上方から被せている。更に付属部品を同梱する場合、該付属部品を収納した段ボールからなる同梱箱５０を被梱包物１０と外箱２０の間に収納しても良い。
【０００８】
図４のように、前記被梱包物１０を荷積み、荷降ろしの際に用いる略直角三角形のスロープ部材４０は、該被梱包物１０と該外箱２０との間に形成された空間に、折たたんで収納する。図５のように該スロープ部材４０は、段ボールの折り曲げ加工によって前半部と後半部を形成し、切り込み線４１をヒンジにして長辺側に折りたたむことができる。折たたんだ状態で固定するために、折りたたんだ該スロープ部材４０を紐やバンドで止めて収納しても良いし、または段ボール製の鞘箱（図示せず）に入れて収納しても良い。
図１４のように、被梱包物１０を荷積みまたは荷降ろす際には、ボトムシート３０の壁面３２を倒し、該壁面３２の舌部３１を、スロープ部材４０の四角穴４２に差し込み固定される。
【０００９】
図７のように、スロープ部材４０ａは、発泡スチロールや発泡ポリエチレンなどの発泡部材を用いても良く、この場合、図６のように、スロープ部材４０ａは、緩衝材に外面に設けられた凹部２２に収納される。該スロープ部材４０ａも、ボトムシート３０に固定する四角穴４２を１個以上有している。さらに、図８のように、該スロープ部材４０ａは、前記外箱２０の外面に該スロープ部材４０ａを収納する凹部２３に収納しても良い。
【００１０】
図１０、図１１のように、スロープ部材４０ｂは、右半部と左半部から成り、該右半部と該左半部は所定幅の連結部材４４を、スロープ部材の外面にある凹部４４ａに差込んで連結される。該連結部材４４は、該スロープ部材４０ｂの該凹部４４ａに差し込んで収納され、段ボールや、紙管を用いることができ、その断面形状は、三角形、四角形などの多角形、或いは円筒のいずれも用いることができる。
図１３のように、スロープ部材４０ｃは、段ボールや厚紙の内面に発泡体４６を充填した複合体であっても良く、図１２のように、該スロープ部材４０ｃを前記緩衝材６０ａの外面の凹部に収納することができる。
【００１１】
図１５のように、前記ボトムシート３０の壁面に面ファスナー４７ｂを取り付け、前記スロープ部材４０の外面に、該該面ファスナー４７ｂと着脱自在な面ファスナー４７ａを所定の位置に取り付け、該面ファスナーによって該スロープ部材４０をボトムシート３０に固定しても良い。該スロープ部材４０をボトムシート３０に固定は、粘着テープ４８を用いることもできる。
また図１６のように、該スロープ部材４０を使って、該被梱包物１０の積み込みや積み降ろしをすることができる。
【図面の簡単な説明】
【００１２】
【図１】従来の梱包箱の断面図である。
【図２】従来の梱包箱の断面図である
【図３】従来の梱包箱の断面図である
【図４】本発明の実施例に関する梱包箱の断面図である。
【図５】本発明の実施例に関するスロープ部材の斜視図である。
【図６】本発明の実施例に関する他の梱包箱の断面図である。
【図７】本発明の実施例に関する他のスロープ部材の斜視図である。
【図８】本発明の実施例に関する他の梱包箱の断面図である。
【図９】本発明の実施例に関する他の梱包箱の断面図である。
【図１０】本発明の実施例に関する他のスロープ部材の斜視図である。
【図１１】本発明の実施例に関する他のスロープ部材の部分説明用斜視図である。
【図１２】本発明の実施例に関する他の梱包箱の断面図である。
【図１３】本発明の実施例に関する他のスロープ部材の斜視図である。
【図１４】本発明の実施例に関するスロープ部材の取り付け図である。
【図１５】本発明の実施例に関する他のスロープ部材の取り付け図である。
【図１６】本発明の実施例に関するスロープ部材を用いた荷下し時の斜視図である。
【符号の説明】
【００１３】
１０  被梱包品
２０、２０ａ  外箱
３０  ボトムシート
４０、４０ａ、４０ｂ、４０ｃ  スロープ部材
５０  同梱品
６０、６０ａ、６１、６１ａ  緩衝材
７０  パレット
【図１】
2006069650.tif 000003
【図２】
2006069650.tif 000004
【図３】
2006069650.tif 000005
【図４】
2006069650.tif 000006
【図５】
2006069650.tif 000007
【図６】
2006069650.tif 000008
【図７】
2006069650.tif 000009
【図８】
2006069650.tif 000010
【図９】
2006069650.tif 000011
【図１０】
2006069650.tif 000012
【図１１】
2006069650.tif 000013
【図１２】
2006069650.tif 000014
【図１３】
2006069650.tif 000015
【図１４】
2006069650.tif 000016
【図１５】
2006069650.tif 000017
【図１６】
2006069650.tif 000018